(57)【特許請求の範囲】
【請求項１】
車両に装備されている電装機器を強制的に駆動する車両用電装機器の強制駆動装置であって、
前記車両に搭載された電気接続箱と、
前記電気接続箱に前記電装機器と対応して設けられ、電源に前記電装機器を駆動する駆動手段を接続するバスバーと、
前記電気接続箱に前記バスバーの前記駆動手段側に臨んで設けられた導通孔と、
前記導通孔を通して前記バスバーに接触して外部から電源を供給する電源供給手段と
を備えたことを特徴とする車両用電装機器の強制駆動装置。
【請求項２】
車両に装備されている電装機器を強制的に駆動する車両用電装機器の強制駆動装置であって、
前記車両に搭載された電気接続箱と、
前記電気接続箱に前記電装機器と対応して設けられ、電源にリレーを介して前記電装機器を駆動する駆動手段を接続するバスバーと、
前記電気接続箱の前記電源側と前記バスバーとの間に前記リレーをバイパスして設けられ、これら両者間を短絡可能なスイッチと
を備えたことを特徴とする車両用電装機器の強制駆動装置。
【発明の詳細な説明】
【０００１】
【発明の属する技術分野】
本発明は、車両に装備されている電装機器の点検等をする際に簡単に強制駆動させることができるようにした車両用電装機器の強制駆動装置に関する。
【０００２】
【従来の技術】
車両にはヒューエル・ポンプ、パワーウィンド、ウィンドウォッシャ、ワイパ或いはランプ等各種の電装機器が装備されており、これらの電装機器は、ハーネス、電気接続箱（ジャンクション・ブロック）を介して電源（バッテリ）と接続されている。電気接続箱は、接続端子を介して前記ハーネスのコネクタと接続される。電気接続箱には、前記各電装機器と対応してバスバーが設けられており、これらのバスバーにはヒューズやリレー等の回路素子が設けられている。
【０００３】
従来、組立ラインやディーラ等において電装機器例えば、ヒューエル・ポンプモータ及びその回路が正常に機能することを確認する場合、車両に特別に設置したハーネス等の電気回路とコネクタとを用いて点検したり、或いは、ヒューエル・ポンプモータ回路（駆動回路）のリレーのコネクタに、当該リレーを外して強制的に電源を供給して駆動させて点検している。
【０００４】
【発明が解決しようとする課題】
しかしながら、車両に特別に設置した電気回路とコネクタとを用る場合にはコスト高となり、更に、コネクタの設置スペースや固定手段、ハーネス等の回路の引き回し等の点で難点がある。また、ヒューエル・ポンプモータ回路のリレーを外してそのコネクタから電源を供給する場合にはリレーの取付場所によっては周辺の部品を取り外すことが必要な場合があり、非常に手間が掛かるという問題もある。
【０００５】
このため、本発明では、車両に装備されている電装機器の確認作業等を行う際に簡単に強制駆動させることを可能とした車両用電装機器の強制駆動装置を提供することを目的としている。
【０００６】
【課題を解決するための手段】
上記目的を達成するため、請求項１の発明では、電装機器の作動を確認する場合、電気接続箱に設けられている導通孔から電源供給手段を挿入して前記電装機器に対応して設けられているバスバーに接触させて電気的に接続し、外部から前記電装機器を駆動する駆動手段に電源を供給する。これにより、前記駆動手段が強制的に駆動されて前記電装機器を駆動する。
【０００７】
請求項２の発明では、電装機器の作動を確認する場合、電気接続箱の電源側とバスバーとの間のリレーをバイパスして設けられているスイッチをオンして、これら両者間を短絡させ、外部電源から前記電装機器を駆動する駆動手段に電源を供給して強制的に駆動する。これにより、前記電装機器の作動を簡単に確認することができる。
【０００８】
【発明の実施の形態】
以下、図面を参照して本発明の好適な実施例を例示的に詳しく説明する。
図１は、本発明に係る車両用電装機器の強制駆動装置の概略斜視図、図２は、図１の要部断面図である。図１に示すように車両用電装機器の強制駆動装置（以下単に「強制駆動装置」という）１を構成する電気接続箱２は、車両に搭載されており、ヒューエル・ポンプ、パワーウィンド、ウィンドウォッシャ、ワイパ或いはランプ等の各種の電装機器と車載用電源としてのバッテリとの間にハーネス（何れも図示せず）を介して接続される。電気接続箱２の前面２ａの上部には、前記各電装機器と接続可能なコネクタ３が設けられており、例えば、前記ヒューエル・ポンプの駆動手段としてのポンプモータ１１が接続されている。尚、他の電装機器及びその駆動手段は省略してある。電気接続箱２の下部には、ポンプモータ１１の駆動回路としてのリレー１２がコネクタ（図示せず）を介して装着されている。また、リレー１２の隣の斜線で示す領域２ｂは、ヒューズエリアとされており、前記各電装機器に対応してヒューズコネクタが設けられ、ヒューズ（何れも図示せず）が装着されている。この電気接続箱２は、樹脂部材により形成されている。
【０００９】
電気接続箱２には図２に示すように絶縁基板４、５が離隔対向して収容されており、前記各電装機器に対応してバスバー２１〜２４が設けられている。例えば、前記ヒューエル・ポンプのモータ１１に対応するバスバー２１は、電気接続箱２の側面２ａと対向する絶縁基板４に設けられている。図３は、基板４に設けられているポンプモータ１１の駆動回路の一例を示す。リレー１２は、コイル１２Ｙの一端が端子１２ａ、線１３を介して電源＋Ｂ（バッテリ）に接続され、他端が端子１２ｂ、線１４を介して電子制御装置（ＥＣＵ）１５に接続され、接点１２Ｍの一方の端子１２ｃが線１３に、他方に端子１２ｄがバスバー２１の一端に接続されている。バスバー２１の他端は、前記コネクタ３の端子３ａに接続されている。電子制御装置１５は、リレー１２のコイル１２Ｙに流れる電流をオン・オフ制御して、リレー接点１２Ｍをオン・オフ制御する。
【００１０】
電気接続箱２の前面２ａの例えば、リレー１２の下方のヒューズ近傍位置には、基板４に臨んで導通孔２ｃが設けられており、基板４のバスバー２１には導通孔２ｃと対向して接続部２１ａが一体に形成されている。この接続部２１ａは、リレー接点１２Ｍの下流側（ポンプモータ１１側）に設けられている。導通孔２ｃは、外部電源＋Ｂから接続部２１ａに電源を供給する電源供給手段としての電源供給テスタ３０の電源供給棒３１が挿通可能とされている。また、電源供給テスタ３０の線３２には例えば、クリップ３３が接続されており、外部電源＋Ｂに接続可能とされている。尚、導通孔２ｃは、開口したままでもよく、或いはゴム栓等で閉塞するようにしてもよい。
【００１１】
ヒューエル・ポンプの駆動を確認する（点検する）場合、電源供給テスタ３０のリード線３２をクリップ３３により外部電源＋Ｂに接続し、電源供給棒３１を電気接続箱２の導通孔２ｃに挿入し、先端３１ａをバスバー２１の接続部２１ａに当接させて電気的に接続する。これにより、ポンプモータ１１は、リレー１２がオフの状態であっても前記外部電源＋Ｂから電源が供給されて強制的に駆動され、前記ヒューエル・ポンプを駆動する。尚、ポンプモータ１１がショートしているような場合を考慮して線１３に介装されているヒューズＦｕの下流側に電源供給テスタ３０のリード線３２を接続してもよい。
【００１２】
また、導通孔２ｃは、ヒューズの近傍に設けられていることで前記作業を行う際にポンプモータ１１のヒューズの確認作業も同時に行うことができ、作業性の向上が図られる。更に、電気接続箱２に装着されている他のリレー等の電気部品を取り外すとこなく前記作業を行うことができるためにこれらの部品の脱着作業が不要となり、作業性が向上する。
【００１３】
図３において点線で囲った部分は、本発明の他の実施例を示す。即ち、電気接続箱２に導通孔２ｃを設け、バスバー２１の対応する位置に接続部２１ａを設ける代わりに、線１３とバスバー２１との間にリレー接点１２Ｍをバイパスするスイッチ例えば、押しボタンスイッチ１６を設けたものである。
ヒューエル・ポンプの駆動を確認する場合、スイッチ１６をオンすると、リレー接点１２Ｍをバイパスして外部電源＋Ｂからポンプモータ１１に電源が供給される。これにより、スイッチ１６を押すだけでポンプモータ１１が強制駆動され、前記ヒューエル・ポンプが駆動される。
【００１４】
尚、上記各実施例においては、作動を確認するために強制駆動する電装機器としてヒューエル・ポンプについて記述したが、これに限るものではなく、パワーウィンド、ウィンドウォッシャ、ワイパ、ランプ等の他の電装機器についても適用し得ることは勿論である。
【００１５】
【発明の効果】
本発明によれば、請求項１の発明では、電気接続箱の導通孔から電源供給手段を挿通させてバスバーに当接させるだけで、外部電源から電装機器に電源を供給して強制的に駆動させることができ、前記電装機器の作動確認を簡単に行うことができ、作業性の大幅な向上が図られる。また、電気接続箱とバスバーとにより構成することができ、構成が極めて簡単である。更に、作動確認用の専用のコネクタやハーネス等が不要となり、コストの低減が図られると共に電気接続箱回りの簡素化が図られる。
【００１６】
請求項２の発明では、スイッチを操作するだけで電装機器を強制的に駆動させることができ、極めて簡単に前記電装機器の作動の確認作業を行うことができる。また、構成も簡単である。
【図面の簡単な説明】
【図１】本発明に係る車両用電装機器の強制駆動装置の概略斜視図である。
【図２】図１に示す車両用電装機器の強制駆動装置の要部断面図である。
【図３】図１に示す車両用電装機器の強制駆動装置における強制駆動回路の説明図である。
【符号の説明】
１  車両用電装機器の強制駆動装置
２  電気接続箱
２ｃ  導通孔
３  コネクタ
４、５  絶縁基板
１２  リレー
１６  スイッチ
２１  バスバー
２１ａ  接続部
３０  電源供給テスタ（電源供給手段）
３１  電源供給棒
＋Ｂ  外部電源
【図１】
0003758022.tif 000002
【図２】
0003758022.tif 000003
【図３】
0003758022.tif 000004